(57)【要約】【課題】人体にとって有害な領域等に存在する細長物品を人体と接触することなく安全に回収でき、効率的に他の容器等に移動可能な細長物品の回収器を提供する。【解決手段】細長物品の回収器１であって、細長物品ａを長手方向に対して略平行に受ける受け部１１と、受け部１１の細長物品を回収する側の縁端部１１ａに凸部１２と、受け部１１の一側端もしくは両側端に、凸部１２の先端側に凸部１２より長い側端部１３と、を設け、凸部１２の先端と受け部１１との間に細長物品ａを位置させて回収する。【選択図】図１Ｂ
0003202181.tif 000002
【実用新案登録請求の範囲】
【請求項１】
細長物品の回収器であって、
細長物品を長手方向に対して略平行に受ける受け部と、
該受け部の前記細長物品を回収する側の縁端部に凸部と、
前記受け部の一側端もしくは両側端に、前記凸部の先端側に前記凸部より長い側端部と、を設け、
前記凸部の先端と前記受け部との間に前記細長物品を位置させて回収する
ことを特徴とする細長物品の回収器。
【請求項２】
前記側端部に前記細長物品の移動穴を設ける
ことを特徴とする請求項１に記載の細長物品の回収器。
【請求項３】
前記凸部と咬合できる凹部もしくは穴部を設けた押込み板を具備する
ことを特徴とする請求項１又は２に記載の細長物品の回収器。
【請求項４】
前記凸部の先端と前記受け部との間に前記細長物品を保持できる置台を具備し、
前記押込み板は、切欠き部を有し、
前記置台は、前記切欠き部と咬合できる構造である
ことを特徴とする請求項３に記載の細長物品の回収器。
【請求項５】
前記受け部の前記細長物品を回収する側の縁端部と接する平面に対して６０〜１２０度である柄部を設け、
該柄部は、取っ手と、親指置きと、前記押込み板を留め置く板留め部と、を有し、
前記取っ手は、前記移動穴を有する前記側端部に対して０〜３０度且つ前記柄部に対して９０〜１５０度である
ことを特徴とする請求項１〜４のいずれか一項に記載の細長物品の回収器。
【考案の詳細な説明】
【技術分野】
【０００１】
本考案は、細長物品を回収し、他の容器に移動する細長物品の回収器に関する。
【背景技術】
【０００２】
複数の細長物品が、液体窒素中等の極低温域、火炎中等の高温域、刺激性や腐食性を有する物質中や近傍等の人体に有害な領域にある場合、又は温度感作や汚染を防止するため直接人の手で触れたくない場合には、ピンセットや特許文献１のトングのような把持具を用いて、細長物品を１本若しくは２〜３本といった数本ずつ複数回に分けて回収している。
【先行技術文献】
【特許文献】
【０００３】
【特許文献１】実用新案登録第３１５５４６９号公報
【考案の概要】
【考案が解決しようとする課題】
【０００４】
しかしながら、上記従来の把持具では、細長物品の数が多くなるほど、回収に要する時間や労力が増えて著しく非効率的であった。さらに、人体にとって有害な場所等に存在する細長物品を回収する際には、作業者は凍傷、火傷、被毒する危険性が高かった。
【０００５】
本考案の目的は、斯かる課題に鑑みてなされたもので、人体にとって有害な領域等に存在する細長物品を人体と接触することなく安全に回収でき、効率的に他の容器等に移動可能な細長物品の回収器を提供することである。
【課題を解決するための手段】
【０００６】
このような目的を達成するために、本考案の細長物品の回収器は、細長物品の回収器であって、細長物品を長手方向に対して略平行に受ける受け部と、該受け部の前記細長物品を回収する側の縁端部に凸部と、前記受け部の一側端もしくは両側端に、前記凸部の先端側に前記凸部より長い側端部と、を設け、前記凸部の先端と前記受け部との間に前記細長物品を位置させて回収することを特徴とする。
さらに、本考案の細長物品の回収器において、前記側端部に前記細長物品の移動穴を設けてもよい。
さらに、本考案の細長物品の回収器において、前記受け部が篩構造であってもよい。
さらに、本考案の細長物品の回収器において、前記移動穴は、前記細長物品１本の短手方向の断面より大きく、前記側端部の半分以内であってもよい。
さらに、本考案の細長物品の回収器において、前記凸部と咬合できる凹部もしくは穴部を設けた押込み板を具備してもよい。
さらに、本考案の細長物品の回収器において、前記凸部の先端と前記受け部との間に、前記細長物品を保持できる置台を具備してもよい。
さらに、本考案の細長物品の回収器において、前記押込み板は、切欠き部を有し、前記置台は、前記切欠き部と咬合できる構造であってもよい。
さらに、本考案の細長物品の回収器において、材質が金属類、樹脂類、もしくは紙類であってもよい。
さらに、本考案の細長物品の回収器において、柄部を設けてもよい。
さらに、本考案の細長物品の回収器において、前記柄部は、前記受け部の前記細長物品を回収する側の縁端部と接する平面に対して６０〜１２０度であってもよい。
さらに、本考案の細長物品の回収器において、前記柄部は、取っ手を設けてもよい。
さらに、本考案の細長物品の回収器において、前記取っ手は、前記移動穴を有する前記側端部に対して０〜３０度且つ前記柄部に対して９０〜１５０度であってもよい。
さらに、本考案の細長物品の回収器において、前記柄部は、親指置きを設けてもよい。
さらに、本考案の細長物品の回収器において、前記柄部は、前記押込み板を留め置く板留め部を設けてもよい。
【考案の効果】
【０００７】
本考案によれば、細長物品の回収器の凸部の先端と受け部との間に細長物品を位置させて回収することにより、細長物品の散らばりや回収漏れを防ぐことができる。また、細長物品の回収器の移動穴により、回収した細長物品を容易に他の容器等へ移動できる。また、細長物品の回収器の受け部の凸部と咬合できる凹部もしくは穴部を設けた押込み板によって、細長物品をより効率的に回収できる。また、細長物品を置台に保持することによって、細長物品の回収器で細長物品をぶれることなく回収できる。
【図面の簡単な説明】
【０００８】
【図１Ａ】本考案に係る細長物品の回収器の実施の形態の構成を示す斜視図である。
【図１Ｂ】図１Ａの細長物品の回収器が、細長物品を受けた状態を示す図である。
【図２Ａ】本考案に係る細長物品の回収器の実施の形態の構成を示す平面図である。
【図２Ｂ】本考案に係る細長物品の回収器の実施の形態の構成を示す正面図である。
【図２Ｃ】本考案に係る細長物品の回収器の実施の形態の構成を示す右側面図である。
【図２Ｄ】本考案に係る細長物品の回収器の実施の形態の構成を示す左側面図である。
【図２Ｅ】本考案に係る細長物品の回収器の実施の形態の構成を示す背面図である。
【図２Ｆ】本考案に係る細長物品の回収器の実施の形態の構成を示す底面図である。
【図３】本考案に係る細長物品の回収器を用いて、細長物品を回収する動作を示す説明図である。
【図４】本考案に係る細長物品の回収器に押込み板を収納した実施の形態の構成を示す斜視図である。
【図５】本考案の実施例に係る細長物品の回収器又はピンセットを用いて細長物品の回収及び収納時間（平均値及び標準誤差）の比較図である。
【考案を実施するための形態】
【０００９】
以下、本考案の一実施の形態について、図を用いて説明する。
【００１０】
図１Ａ、Ｂ及び図２Ａ〜Ｆは、細長物品の回収器１を示す図であり、図１Ａは斜視図、図１Ｂは細長物品ａを受けた状態の斜視図、図２Ａは平面図、図２Ｂは正面図、図２Ｃは右側面図、図２Ｄは左側面図、図２Ｅは背面図、図２Ｆは底面図である。
【００１１】
細長物品の回収器１は、図１Ａに示すように、逆Ｃ字型の受け部１１、受け部１１の細長物品を回収する側の縁端部１１ａに４本の凸部１２、及び受け部１１の両側端に側端部１３が設けられる。一方の側端部１３は閉鎖形成され、もう一方の側端部１３は移動穴１４が形成される。受け部１１の裏側の後端中央には、柄部１５が取り付けられ、さらに取っ手１６及び親指置き１７が設けられる。
【００１２】
図１Ｂは、細長物品ａを長手方向に対して略平行に受け部１１で受けて回収し、細長物品の回収器１を移動穴１４が下方に位置するように示した図である。回収された細長物品ａは、受け部１１から移動穴１４を通って他の容器に移すことができる。
【００１３】
細長物品の回収器１で回収できる細長物品ａは、例えば、液体窒素中等の極低温域、火炎中等の高温域、刺激性や腐食性を有する物質中や近傍等の人体に有害な場所にある場合や温度感作や汚染を防ぐため直接手で触れたくない場合等があるが、これに限定されるものではない。極低温域で回収する細長物品として、例えば、液体窒素中に浸漬した家畜人工授精用の凍結精液ストローや凍結受精卵ストロー等がある。高温域で回収する細長物品として、例えば、高熱の芯棒や機械の細長パーツ等がある。汚染を防いで回収する細長物品として、例えば、焼き魚、焼き鳥、フランクフルト、串焼き等の食品、爪楊枝、竹串、箸、鉛筆等の工業製品がある。温度感作を防いで回収する細長物品として、例えば、アイス棒キャンディや冷凍食品等がある。
【００１４】
本実施の形態によれば、受け部１１は、側端部１３の方向からみて逆Ｃ字型の曲面で形成されているが、細長物品ａを受けることができれば任意の形状でよい。例えば、曲面、平面、凹面、凸面、これらの組合せ等であり、側端部１３の方向からみると、Ｃ字型、Ｖ字型、Ｕ字型、コの字型等で形成されてもよい。好ましくは複数の細長物品ａを受けた状態で細長物品ａの塊の動きを抑える曲面又は凹面を設けた形状である。
【００１５】
本実施の形態によれば、受け部１１の細長物品ａを受ける長手方向の長さは、細長物品ａの長手方向長さに対して１１３％の長さで構成されているが、細長物品ａを受けることができれば任意の長さでよい。好ましくは細長物品ａの長手方向長さ以上であり、より好ましくは細長物品ａの長手方向長さの１００〜２００％、さらに好ましくは細長物品ａの長手方向長さの１１０〜１５０％である。この構成により、複数の細長物品ａをまとめて保持することが容易になる。
【００１６】
本実施の形態によれば、受け部１１は全体が網目構造で構成されるが、例えば、閉鎖構造や一部が網目構造のような篩構造で構成されてもよい。受け部１１を篩構造にすることにより、目の細かいゴミ等の固体、液体窒素等の液体、有毒性や刺激性等の気体等といった細長物品ａ以外の不要な物を除いて回収できる。また、閉鎖構造よりも篩構造の方が、細長物品の回収器１の軽量化を図ることもでき、細長物品ａを回収する際の抵抗を少なくして、容易に細長物品ａを移動できるようになる。
【００１７】
本実施の形態によれば、凸部１２は、鉤爪のような構造で４本設けられ、受け部１１の細長物品を回収する側の縁端部１１ａと接する平面に平行になるように形成され、先端に向かうにつれて受け部１１の細長物品ａを受ける側に向かって傾斜するが、細長物品ａを凸部１２の先端と受け部１１の間に位置させて回収できれば任意の形状及び任意の数でよい。鉤爪のような構造に加えて、例えば、先端に向けて細くなる構造、先端が丸みを帯びた構造、先端に膨みを設けた構造等があり、細長物品ａに合わせて選択することができる。
【００１８】
凸部１２の長さは、凸部１２が複数ある場合は、その長さは全て同じでも異なっていてもよい。好ましくは細長物品ａの短手方向長さ以上で且つ細長物品を回収する側の縁端部１１ａから受け部１１の最も離れた部分までの距離以下である。この構成により、細長物品ａを効率的に回収でき、細長物品ａが受け部１１から溢れることを防止する。また、液体又は固体の表面やラックの上面等に細長物品ａを配置する場合は、配置された場所と底面の距離以下であることが好ましい。この構成により、凸部１２の先端が底面に接触することを防止でき、引っ掛りなく細長物品ａを回収することができる。
【００１９】
凸部１２と受け部１１の細長物品を回収する側の縁端部１１ａと接する平面との角度は、好ましくは−６０〜４５度であり、さらに好ましくは−３０〜３０度である。この構成により、凸部１２の先端と受け部１１との間に細長物品ａを位置させることが容易になる。さらに、凸部１２は、先端に向かうにつれて、受け部１１の細長物品ａを受ける側に向かって傾斜を有することが好ましい。この構成により、細長物品を回収する側の縁端部１１ａから一旦受け止めた細長物品ａの散乱を防ぐことができる。
【００２０】
本実施の形態によれば、側端部１３は、受け部１１の両側端に形成されているが、細長物品ａを回収した後に散乱を防ぐ構造であればよく、一側端のみに設けてもよい。側端部１３が、受け部１１の一側端のみに設けられる場合は、もう片方の側端部１３のない一側端から細長物品ａを移動させてもよい。側端部１３の大きさは、細長物品ａを回収した後に細長物品ａの長手方向に散らばりを防ぐ構造であれば任意の大きさでよい。好ましくは細長物品ａを回収する側の縁端部１１ａから凸部１２の先端側に、凸部１２より長く設けられる。この構成により、回収された細長物品ａの側端部１３方向への散乱を防ぐことができる。
【００２１】
本実施の形態によれば、側端部１３の一方は閉鎖形成され、側端部１３の一方に移動穴１４を設けているが、移動穴１４を側端部１３の両側端に設けてもよく、移動穴１４を設けずに受け部１１の細長物品ａを受けた側から細長物品ａを移動してもよい。また、移動穴１４は、スライド式のような開閉式の構造でもよく、例えば細長物品ａを移動させる時以外は、側端部１３を閉じていてもよい。移動穴１４の大きさは、好ましくは細長物品ａ１本の短手方向の断面より大きく、側端部１３の半分以内である。この構成により、細長物品ａの散乱を防止しつつ、他の容器等への移動もスムーズに行うことができる。
【００２２】
本実施の形態によれば、細長物品の回収器１には柄部１５、取っ手１６、及び親指置き１７が取り付けられているが、細長物品ａに接触せずに回収できれば柄部１５等を省略してもよく、これらの構造に限定されない。例えば、柄部１５を側端部１３に設けること、受け部１１が自動で動いて細長物品ａを回収すること、細長物品を回収する側の縁端部１１ａ以外の部分を掴むこと等の手段がある。柄部１５の長さは、人が手で細長物品の回収器１を操作する際に人体が接触したくない領域を避けることができれば、任意の長さでよい。
【００２３】
柄部１５の支軸は、受け部１１の細長物品を回収する側の裏側に位置する場合、好ましくは後端中央付近に配置する。この場合、柄部１５と受け部１１の細長物品を回収する側の縁端部１１ａと接する平面との角度は、好ましくは０〜１５０度、より好ましくは６０〜１２０度である。また、取っ手１６と移動穴１４を有する側端部１３との角度は、好ましくは−３０〜６０度であり、さらに好ましくは０〜３０度である。さらに取っ手１６と柄部１５との角度は、好ましくは６０〜１８０度であり、さらに好ましくは９０〜１５０度である。この構成により、細長物品の回収器１を安定して操作することができ、人が手で操作する際に低温域、高温域、毒性領域等の人体に有害な領域を避けて効率的に回収することができる。
【００２４】
本考案に係る細長物品の回収器１を用いて置台ｂの上に配置した細長物品ａを回収する動作について、図３を用いて説明する。作業者が右利きの場合、作業者は、右手に細長物品の回収器１の取っ手１６を移動穴１４の位置が作業者側になるように持ち、右手の親指を親指置き１７に置き、左手に押込み板２の取っ手２３を持つ。作業者側からみて、置台ｂの右端側に細長物品の回収器１の凸部１２をあてがい、左端側に押込み板２の切欠き部２２を嵌め込む。細長物品の回収器１の凸部１２を細長物品ａに順々に引っ掛けながら、押込み板２の方向に移動し、複数の細長物品ａを受け部１１に略平行に受けて回収した後、凸部１２を穴部２１に差し込み、押込み板２の取っ手２３方向に摺動させながら、押込み板２と細長物品の回収器１の角度を狭めて受け部１１に回収した細長物品ａを入れる。受け部１１に入った細長物品ａは、移動穴１４から他の容器へ流し込む。作業者が左利きの場合には、細長物品の回収器１及び押込み板２の持ち手等を適宜変更して回収できる。
【００２５】
本実施の形態によれば、細長物品ａは、置台ｂの上に配置されて細長物品の回収器１を用いて回収されるが、置台ｂを用いずに散乱した細長物品ａを細長物品の回収器１を用いて回収することもできる。置台ｂを設けることによって、細長物品ａを回収する際に直線的に細長物品の回収器１を操作することができ、長距離に亘って多数配置された細長物品ａを素早く回収できる。細長物品の回収器１の凸部１２は、置台ｂと係合する構造であることが好ましい。
【００２６】
本実施の形態によれば、押込み板２と細長物品の回収器１とが分離した構成であり、押込み板２の穴部２１は、細長物品の回収器１の凸部１２と咬合する構造であるが、細長物品ａを回収する際に押込み板２と細長物品の回収器１を固定できれば任意の形状でもよい。例えば、穴部２１は、細長物品の回収器１の凸部１２が咬合できる凹状であってもよい。細長物品ａを回収する際に押込み板２と受け部１１との間の角度は、好ましくは６０〜１８０度の範囲で穴部２１に入り込むようにし、さらに好ましくは９０〜１５０度の範囲で穴部２１に入り込むようにする。この構成によって、多数の細長物品ａを散乱させずに回収できる。
【００２７】
本実施の形態によれば、押込み板２は、細長物品ａが配置された置台ｂに咬合する切欠き部２２が設けられている。この構成により、押込み板２と置台ｂとの間の安定性を高めることができ、細長物品ａを細長物品の回収器１に押し込む際に、押込み板２のぐらつきを抑え、より安定的に細長物品を回収することができる。なお、細長物品ａを回収する際に置台ｂと押込み板２を固定できれば任意の形状でもよい。
【００２８】
本実施の形態によれば、図４に示すように、細長物品の回収器１の柄部１５は、親指置き１７と同一の押込み板２を係止する板留め部１８が設けられている。この構成により、使用後は押込み板２の取っ手２３を板留め部１８に嵌め込むことで、コンパクトに収納することができる。この板留め部１８は、親指置き１７と併用することで部材の省略ができる。なお、板留め部１８は、親指置き１７と別に設けてもよい。
【００２９】
本考案に係る細長物品の回収器１、押込み板２、及び置台ｂは、細長物品ａに応じて、耐寒性、耐熱性、耐毒性、抗菌性、耐腐食性、軽量性等を有する材質を用いることができる。例えば、極低温域や高温域であれば、熱伝導性が低いステンレス等の金属を用いることができる。例えば、細長物品の回収器１の軽量化を図りたい場合は、紙や樹脂を用いることができる。
【００３０】
本考案は実施の形態に限定されるものではなく、その要旨を逸脱しない範囲で種々変更可能である。
【実施例】
【００３１】
トリスクエン酸緩衝糖液を充填した家畜精液凍結用の０．５ｍｌストロー（富士平工業）を、ステンレス製のストローラックに５８本並べ、液体窒素蒸気を当てて凍結した。凍結したストローは、ストローラックに並べたまま液体窒素中に沈めた。液体窒素中に沈んだストローを本考案に係る細長物品の回収器又はピンセットを用いて回収し、予め液体窒素中に置いた円筒形のステンレス製保存容器に収納した。本考案に係る細長物品の回収器を用いる場合は、液体窒素中で並んだ５８本のストローを一気に回収し、保存容器へ移して収納した。ピンセットを用いる場合は、液体窒素中に並んだ前記ストロー５８本を１〜３本ずつつまんで保存容器へ入れて収納した。各々の保存容器への収納が完了するまでの時間を測定した（ｎ＝４）。
【００３２】
収納が完了するまでの時間は、図５に示すように、ピンセットを用いた場合は８７．３秒であったのに対し、本考案の細長物品の回収器を用いた場合は１４．５秒であった。このように、本考案の細長物の回収器を用いた場合、従来のピンセットを用いた場合と比較すると、回収及び収納は従来の約１／６の時間で完了でき、大幅な時間短縮を図ることができた（Ｐ＜０．０１、Ｓｔｕｄｅｎｔのｔ検定）。さらに、ピンセットでの回収の場合、液体窒素に近づいて作業する時間が多いため手に痛みを感じたのに対し、本考案の細長物品の回収器を用いた場合、手が液体窒素に近づいて作業する時間が短く手に痛みを感じなかった。
【産業上の利用可能性】
【００３３】
本考案は、人体に接触しないで複数の細長物品を回収する場合に使用できる。例えば、家畜人工授精用の液体窒素中の凍結精液ストローの回収、串焼き、揚げ物、焼き魚等の棒状食品の回収、箸や細長パーツ等の工業製品の回収の場合に好適である。
【符号の説明】
【００３４】
１  細長物品の回収器
２  押込み板
１１  受け部
１１ａ  細長物品を回収する側の縁端部
１２  凸部
１３  側端部
１４  移動穴
１５  取っ手
１６  柄部
１７  親指置き
１８  板留め部
２１  穴部
２２  切欠き部
２３  取っ手
ａ  細長物品
ｂ  置台
【図１Ａ】
0003202181.tif 000003
【図１Ｂ】
0003202181.tif 000004
【図２Ａ】
0003202181.tif 000005
【図２Ｂ】
0003202181.tif 000006
【図２Ｃ】
0003202181.tif 000007
【図２Ｄ】
0003202181.tif 000008
【図２Ｅ】
0003202181.tif 000009
【図２Ｆ】
0003202181.tif 000010
【図３】
0003202181.tif 000011
【図４】
0003202181.tif 000012
【図５】
0003202181.tif 000013